【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
燃料カートリッジであって、
接続装置を通して燃料を燃料電池に分配するために燃料容器内に配置可能な燃料リザーバを備え、
該リザーバは、上壁および下壁、外面および内面とを有するハウジングを備え、前記上壁に設けられかつ前記接続装置によって前記燃料電池に接続可能である燃料出口と、
該燃料出口を通してリザーバから燃料を分配するための少なくとも1つの正圧力誘導素子とを備える燃料カートリッジ。
【請求項２】
前記燃料が、液体燃料、気体燃料、固体燃料、エアロゾル化された燃料、およびそれらの組み合わせからなる群から選択される請求項１に記載の燃料カートリッジ。
【請求項３】
前記燃料が、メタノール、エタノール、ジメチルエーテル（ＤＭＥ）、ジメトキシメタン（ＤＭＭ）、トリメトキシメタン（ＴＭＭ）、トリオキサン、蟻酸、ホルムアルデヒド、ブタン、プロパン、メタン、プロピレン、エチレン、プロパノール、グリコール、それらと水との混合物、それらと酸との混合物、およびそれらと塩基との混合物からなる群から選択される炭化水素燃料である請求項１に記載の燃料カートリッジ。
【請求項４】
前記リザーバが、燃料を前記リザーバから排出するように、圧縮可能なベローズを設けるべく、前記リザーバの少なくとも一部において波形材料から製造される請求項１に記載の燃料カートリッジ。
【請求項５】
前記リザーバが、多重壁からなる室ハウジングを備える請求項１に記載の燃料カートリッジ。
【請求項６】
前記リザーバが、剛性ハウジング内に設けられる室を画成する可撓性容積を備える請求項１に記載の燃料カートリッジ。
【請求項７】
前記リザーバが、燃料供給システムに接続されていない場合に前記リザーバをシールするための弁を前記燃料出口に備え、該弁が、電気機械的に作動される弁、ボール逆止弁、ニードル弁、航空機に燃料を補給する弁、および機械的に作動される弁からなる群から選択される一方向弁である請求項１に記載の燃料カートリッジ。
【請求項８】
前記リザーバが、前記燃料出口を覆うための着脱可能なバリアを備える請求項１に記載の燃料カートリッジ。
【請求項９】
前記リザーバが、前記カートリッジを接続装置に固定するためのロック部を前記燃料出口に備えるとともに、該ロック部が、機械的ロック装置、摩擦ロック装置および機械的拘束装置からなる群から選択される請求項１に記載の燃料カートリッジ。
【請求項１０】
前記機械的ロック装置が、バヨネット取付具、緊急解除ロック、ねじ山、戻り止めロック、およびばね負荷ロックからなる群から選択される請求項９に記載の燃料カートリッジ。
【請求項１１】
前記カートリッジが、該カートリッジの内部の内圧供給要素、機械的力誘導要素、およびそれらの組み合わせからなる群から選択される圧力誘導要素を備える請求項１に記載の燃料カートリッジ。
【請求項１２】
機械的力供給要素が、ばねとねじとモータと空気圧と液圧とからなる群から選択される少なくとも１つの作動要素を用いる作動可能なピストン、リザーバハウジングの部分、およびエラストマーフォームからなる群から選択される請求項１１に記載の燃料カートリッジ。
【請求項１３】
前記カートリッジが、前記カートリッジをドッキングステーションのシール面に固定するための固定要素を備え、該固定要素が、円筒状カートリッジ用のバヨネット式ロック、およびエアロゾル缶型のカートリッジに接着により取り付け可能な成形プラスチックエンドキャップからなる群から選択される請求項１に記載の燃料カートリッジ。
【請求項１４】
前記燃料がベローズまたはブラダーに収容され、また前記カートリッジハウジングには、ベローズまたはブラダーを押し下げ、これによって、前記カートリッジの前記燃料出口を通して燃料を排出するために、前記ブラダーまたは前記ベローズに接触しかつ作動要素によって作動可能である１つ以上のプレートまたはピストンが設けられる請求項１に記載の燃料カートリッジ。
【請求項１５】
前記作動要素が、前記カートリッジハウジングに設けられた前記１つ以上のスロットを通して前記１つ以上のプレートまたはピストンに作動的に関連付けられた１つ以上の外部ばねを備える請求項１４に記載の燃料カートリッジ。
【請求項１６】
前記ばねがリーフスプリングまたはワイヤスプリングである請求項１５に記載の燃料カートリッジ。
【請求項１７】
前記作動要素がばねとプランジャ要素との組み合わせを含み、前記プランジャ要素が、前記ベローズまたは前記ブラダーを押し下げ、これによって、前記燃料出口を通して燃料を排出するために前記プレートまたは前記ピストンに作動接触する請求項１４に記載の燃料カートリッジ。
【請求項１８】
前記作動要素が、回転モータとねじとによって駆動可能なねじ付き作動ロッドを備え、該作動ロッドによって、前記カートリッジ内の１つ以上のプレートまたはピストンが押圧され、またこれによってベローズが押し下げられ、このようにして機械的外部加圧が行われる請求項１４に記載の燃料カートリッジ。
【請求項１９】
前記圧力誘導要素が、前記カートリッジの燃料充填ブラダーと、前記カートリッジに設けられた小さい外側オリフィスと、燃料電池のシール面に圧接し、これにより加圧空気を供給するためのシールとを備える請求項１に記載の燃料カートリッジ。
【請求項２０】
前記圧力誘導要素が、前記カートリッジを加圧するために前記燃料内に配置された１つ以上の炭化水素を含む請求項１４に記載の燃料カートリッジ。
【請求項２１】
前記炭化水素が前記燃料内の混合物として用いられるとともに、さらに前記カートリッジ内で前記燃料と前記炭化水素とを分離するように設けられている分離要素を備えている請求項２０に記載の燃料カートリッジ。
【請求項２２】
前記追加の炭化水素が、前記燃料を収容するブラダーの外部に貯蔵される請求項２０に記載の燃料カートリッジ。
【請求項２３】
前記追加の炭化水素が、前記燃料を収容する前記ブラダー内に配置されたバルーン内に貯蔵され、また前記ブラダーを加圧するために用いられる請求項２０に記載の燃料カートリッジ。
【請求項２４】
装置であって、
燃料リザーバを形成するハウジングと、
第１の位置で前記燃料リザーバ内の燃料を放出しかつ第２の位置で前記燃料リザーバ内の燃料を維持するばね作動弁であって、前記第２の位置で前記弁を維持するための付勢要素と、前記燃料容器が燃料電池に接続された場合に前記付勢要素とは反対方向を向くようにまた前記弁を前記第１の位置に移動させるように外側部材を係合させるための収納部とを含むばね作動弁と、
を備える装置。
【請求項２５】
燃料カートリッジであって、
接続装置を通して燃料を燃料電池の燃料供給ループに分配するために燃料容器内に配置可能な燃料リザーバを備え、
該リザーバは、上壁および下壁、外面および内面とを有するハウジングを備え、前記上壁に設けられかつ前記接続装置によって前記燃料電池に接続可能である燃料出口とを備え、
燃料排出が、毛細管作用要素、機械的力要素、内部ガス圧またはそれらの組み合わせからなる群から選択される要素の少なくとも１つによって可能になる燃料カートリッジ。
【請求項２６】
前記毛細管作用要素が、前記燃料出口に向かって気孔の大きさが小さくなる少なくとも１つのフォーム、エアロゲル、多孔質セラミック、多孔質シリコンを備える請求項２５に記載の燃料カートリッジ。
【請求項２７】
前記毛細管作用要素が毛細管チューブをさらに備える請求項２６に記載の燃料カートリッジ。
【請求項２８】
前記フォームが、５０％〜９９％の気孔率を有するオープンセル構造を有し、また親水性を有すると共に前記燃料と相溶性を有する材料からなるか、或は、前記フォームが、１インチ当たり６０〜８０個の気孔の気孔率を有するポリウレタンフォームである請求項２６に記載の燃料カートリッジ。
【請求項２９】
前記毛細管作用要素が、前記燃料出口に向かう燃料に、より大きな毛細管引力を付与するために、前記カートリッジ内に配置されかつ前記カートリッジの前記燃料出口のより近くでより小さい気孔が設けられたオープンセルフォーム充填材またはウィッキング材料を使用して、前記燃料カートリッジの前記燃料出口に向かって毛細管力を徐々に大きくする請求項２５に記載の燃料カートリッジ。
【請求項３０】
前記フォームが、楔状であり、また前記燃料出口の近くでより小さい気孔を有するように段階的な気孔率を実現するために前記カートリッジに強制的に収納される請求項２５に記載の燃料カートリッジ。
【請求項３１】
前記フォームが、異なる多孔質の複数のフォームブロックを備える請求項２６に記載の燃料カートリッジ。
【請求項３２】
前記燃料出口のより近くにある各フォームブロックが、先行フォームブロックよりも小さい大きさの気孔を有する請求項３１に記載の燃料カートリッジ。
【請求項３３】
前記フォームブロックが、環状にまたは同心に設けられた異なる多孔質のフォームを備え、最小の気孔のフォームが中央に位置しまた前記燃料出口に接続される請求項３１に記載の燃料カートリッジ。
【請求項３４】
前記フォームブロックが、より大きな大きさの気孔を有する可撓性フォームに挿入された１片の円錐形フォームを備え、これによって、前記出口の最も近くにある前記可撓性フォームの前記フォーム気孔が圧縮される請求項３１に記載の燃料カートリッジ。
【請求項３５】
前記毛細管チューブが、前記燃料出口に向かって毛細管力を徐々に大きくすることを可能にするために、異なる多孔質の１つ以上のフォームブロックに挿入される請求項２７に記載の燃料カートリッジ。